(57)【要約】  発声補助装置は、空気を供給する空気供給部と、前記空気に振動を与える振動付与部と、前記振動が与えられた空気を口腔内に送入する送入管と、前記送入管に設けられ、前記送入管の内部から前記送入管の外部かつ前記口腔の外部へ前記供給された空気を流出させる空気流出部と、を備える。
2019031150.tif 000002
【特許請求の範囲】
【請求項１】
空気を供給する空気供給部と、
前記空気に振動を与える振動付与部と、
前記振動が与えられた空気を口腔内に送入する送入管と、
前記送入管に設けられ、前記送入管の内部から前記送入管の外部かつ前記口腔の外部へ前記供給された空気を流出させる空気流出部と、
を備える発声補助装置。
【請求項２】
前記空気流出部から流出する空気の量を変化させる空気流出量調整部をさらに備える
請求項１に記載の発声補助装置。
【請求項３】
前記振動付与部は、それぞれ異なる周波数の振動を前記供給された空気に与える複数の振動付与部を備え、
前記送入管は、前記供給された空気を、前記複数の振動付与部の各々を経由して前記口腔内に送入する
請求項１又は請求項２に記載の発声補助装置。
【請求項４】
前記振動付与部は、それぞれ異なる周波数の振動を前記供給された空気に与える複数の振動付与部を備え、
前記複数の振動付与部から、前記送入管によって前記口腔内へ送入される空気が経由する少なくとも一つの振動付与部を選択する選択部、
を備える請求項１又は請求項２に記載の発声補助装置。
【請求項５】
前記送入管を流れる空気を遮断する空気遮断部と、
前記空気遮断部によって空気を遮断するか否かを制御する遮断制御部と、
をさらに備える請求項１から４の何れか一項に記載の発声補助装置。
【請求項６】
ユーザの動作を検出する動作検出部をさらに備え、
前記遮断制御部は、前記ユーザの動作の検出結果に基づいて、前記空気遮断部によって空気を遮断するか否かを制御する、
請求項５に記載の発声補助装置。
【請求項７】
ユーザの身体の物理的状態を検出する状態検出部をさらに備え、
前記遮断制御部は、前記ユーザの身体の物理的状態の検出結果に基づいて、前記空気遮断部によって空気を遮断するか否かを制御する、
請求項５に記載の発声補助装置。
【請求項８】
空気を供給することと、
前記空気に振動を与えることと、
送入管によって、前記振動が与えられた空気を、口腔内に送入することと、
前記送入管に設けられた空気流出部によって、前記送入管の内部から前記送入管の外部かつ前記口腔の外部へ空気を流出させることと、
を含む発声補助方法。
【発明の詳細な説明】
【技術分野】
【０００１】
本発明は、発声補助装置及び発声補助方法に関する。
【背景技術】
【０００２】
喉頭摘出を受けた疾病者の発声を補助するための幾つかの技術が提案されている。
例えば、特許文献１には、空気供給手段が供給する空気に振動を付与し、振動を付与された空気をチューブで口腔内に導くことが記載されている。喉頭摘出を受けた疾病者は、この空気を用いて発声を行う。
【先行技術文献】
【特許文献】
【０００３】
【特許文献１】日本国特開２００７−２０７５７号公報
【発明の概要】
【発明が解決しようとする課題】
【０００４】
振動を付与された空気を口腔内に供給することなどにより発声を補助する場合、発声者であるユーザが行いたい発声になるべく近い発声を行えることが好ましい。そのために、口腔内に供給する空気を、ユーザが行いたい発声に応じて調整可能であることが好ましい。【０００５】
本発明の目的の一例は、上述の課題を解決することのできる発声補助装置及び発声補助方法を提供することである。
【課題を解決するための手段】
【０００６】
本発明の第１の態様による発声補助装置は、空気を供給する空気供給部と、前記空気に振動を与える振動付与部と、前記振動が与えられた空気を口腔内に送入する送入管と、前記送入管に設けられ、前記送入管の内部から前記送入管の外部かつ前記口腔の外部へ前記供給された空気を流出させる空気流出部と、を備える。【０００７】
本発明の第２の態様による発声補助方法は、空気を供給することと、前記空気に振動を与えることと、送入管によって、前記振動が与えられた空気を、口腔内に送入することと、前記送入管に設けられた空気流出部によって、前記送入管の内部から前記送入管の外部かつ前記口腔の外部へ空気を流出させることと、を含む。
【発明の効果】
【０００８】
この発明によれば、口腔内に供給する空気を、ユーザが行いたい発声に応じて調整することができる。
【図面の簡単な説明】
【０００９】
【図１】本発明の実施形態に係る発声補助装置の構成を示す概略構成図である。
【図２】図１に示す発声補助装置のマスク管の位置の第一例を示す図である。
【図３】図１に示す発声補助装置のマスク管の位置の第二例を示す図である。
【図４】図１に示す発声補助装置の複数のリードの配置例を示す図である。
【図５】本発明の実施形態での、ユーザ操作及び発声補助装置の動作の例を示す図である。
【図６】本発明の別の実施形態に係る発声補助装置の構成の例を示す図である。
【発明を実施するための形態】
【００１０】
以下、本発明の実施形態を説明するが、以下の実施形態は請求の範囲にかかる発明を限定するものではない。また、実施形態の中で説明されている特徴の組み合わせの全てが発明の解決手段に必須であるとは限らない。
図１は、本発明の実施形態に係る発声補助装置の構成を示す概略構成図である。図１に示すように、発声補助装置１００は、コンプレッサ１１０と、風船１２０と、送入管１３０と、電磁弁１４０と、遮断制御スイッチ１４１と、動作検出部１４２と、状態検出部１４３と、遮断制御部１４４と、空気流出部１５０と、マスク管１５１と、リード１６０と、電源２１０と、主電源スイッチ２２０と、膨張検出センサ２３０と、コンプレッサ制御スイッチ２４０と、筐体３００とを備える。
【００１１】
発声補助装置１００は、振動を加えた空気を送入管１３０の先端から供給する。喉頭摘出を受けた疾病者は、発声補助装置１００が供給する空気を声帯で振動を加えられた空気の代わりに用いて発声を行うことができる。
以下では、喉頭摘出を受けた疾病者を、単に疾病者、あるはユーザと称する。
【００１２】
コンプレッサ１１０は、周囲の空気を取り込んで圧縮し、圧縮した空気を風船１２０に送り込む。
風船１２０は、コンプレッサ１１０から送出される空気を一時的に蓄え、蓄えた空気を、送入管１３０を介してユーザの側へ供給する。
具体的には、風船１２０は、コンプレッサ１１０から送出される空気が風船１２０内に流入することで膨張する。そして、風船１２０は、膨張したことで生じる張力によって元に戻ろうとして、風船１２０内部の空気を押し出す。
【００１３】
コンプレッサ１１０と風船１２０との組み合わせは、空気供給部の例に該当する。
発声補助装置１００が備える空気供給部はコンプレッサ１１０と風船１２０との組み合わせに限らずいろいろな組み合わせとすることができる。例えば、発声補助装置１００が、風船１２０を備えていない構成としてもよい。この場合、コンプレッサ１１０が単独で空気供給部の例に該当する。
別法として、発声補助装置１００が、空気供給部として手動式のポンプ又は空気ボンベを備えるようにしてもよい。
【００１４】
送入管１３０は、コンプレッサ１１０及び風船１２０が供給する空気をユーザの口腔内に送入する。発声補助装置１００を使用する場合、ユーザである疾病者は、送入管１３０の端部を口腔内に入れておく（すなわち、送入管１３０を咥えておく）。この状態でコンプレッサ１１０及び風船１２０からの空気が送入管１３０の端部から流出することで、送入管１３０は空気をユーザの口腔内に送入する。
【００１５】
電磁弁１４０は、送入管１３０を流れる空気を遮断する。ここで、ユーザが発話を意図していないときでも、発声補助装置１００からの空気がユーザの口腔内に入り続ければ、この空気には振動が加えられているのでユーザの口腔内から音が聞こえる。このような音の発生は、発話を意図してないユーザの意に反すると考えられる。そこで、ユーザが発話を意図していない場合、電磁弁１４０が電磁弁１４０自らを閉じることで送入管１３０を流れる空気を遮断する。これにより、ユーザの口腔内から音が聞こえることを解消できる。
【００１６】
遮断制御スイッチ１４１は、電磁弁１４０を閉じる（空気を遮断する）よう指示するユーザ操作を受ける。例えば、遮断制御スイッチ１４１が押釦スイッチを用いて構成され、ユーザが押釦を押下している間、電磁弁１４０を閉じるようにしてもよい。
動作検出部１４２は、ユーザの動作を検出する。動作検出部１４２が検出する動作は、遮断制御部１４４による電磁弁１４０の制御に用いられる。ここで、遮断制御スイッチ１４１を操作することをユーザが煩雑に感じる可能性がある。また、ユーザが手で作業を行っている場合、遮断制御スイッチ１４１を操作するために作業を中断しなければならないことが考えられる。そこで、動作検出部１４２が所定の動作を検出した場合に、遮断制御部１４４が電磁弁１４０の開閉を制御する。
【００１７】
例えばユーザが所定回数連続して口を開閉する動作、または、ユーザが所定回数連続して瞬きをする動作を動作検出部１４２が検出した場合に、遮断制御部１４４が電磁弁１４０の開閉状態を反転させるようにしてもよい。電磁弁１４０の開閉状態を反転させるとは、開状態から閉状態に電磁弁１４０を切り替える、または、閉状態から開状態に電磁弁１４０の切り替えることを意味する。
動作検出部１４２が、ユーザの画像を撮影するカメラを備え、撮影した画像を解析することによってユーザの動作を検出するようにしてもよい。
【００１８】
状態検出部１４３は、ユーザの身体の物理的状態を検出する。状態検出部１４３が検出する状態は、遮断制御部１４４による電磁弁１４０の制御に用いられる。ユーザが所定の動作をした場合に加えて、或いはそれに代えて、ユーザの身体の物理的状態が所定の状態にある場合に、遮断制御部１４４が電磁弁１４０の開閉を制御するようにしてもよい。
例えば、ユーザが所定時間以上口を閉じていることを動作検出部１４２が検出した場合、遮断制御部１４４が電磁弁１４０を閉じさせるようにしてもよい。別の例として、ユーザが所定時間以上口を開いていることを動作検出部１４２が検出した場合、遮断制御部１４４が電磁弁１４０を開かせるようにしてもよい。
状態検出部１４３が、ユーザの画像を撮影するカメラを備え、撮影した画像を解析することよってユーザの身体の物理的状態を検出するようにしてもよい。
【００１９】
遮断制御部１４４は、電磁弁１４０によって空気の供給を遮断するか否かを制御する。遮断制御部１４４は、上記のように遮断制御スイッチ１４１に対するユーザ操作、動作検出部１４２が検出するユーザの動作、及び又は、状態検出部１４３が検出するユーザの状態に応じて、電磁弁１４０の開閉を制御する。
具体的には上記のように、遮断制御部１４４は、遮断制御スイッチ１４１に対するユーザ操作、動作検出部１４２によるユーザの動作の検出結果、及び又は、状態検出部１４３によるユーザの身体の物理的状態の検出結果に基づいて、電磁弁１４０の開閉（電磁弁１４０による空気の遮断の有無）を制御する。
【００２０】
発声補助装置１００が、遮断制御スイッチ１４１、動作検出部１４２及び状態検出部１４３の全てを備えている必要はない。発声補助装置１００がこれらのうち少なくとも一つを備えていれば、電磁弁１４０の制御を行うことができる。
発声補助装置１００が動作検出部１４２及び状態検出部１４３の両方を備える場合、動作検出部１４２と状態検出部１４３とが１つの装置として構成されていてもよいし、それらが別々の装置として構成されていてもよい。
【００２１】
空気流出部１５０は、送入管１３０に設けられて送入管１３０の内部から送入管１３０の外部かつユーザの口腔の外部へ空気（空気の一部）を流出させる。例えば、空気流出部１５０は送入管１３０の一部に開けられた穴によって構成される。
マスク管１５１は、空気流出部１５０からの空気の流出量を変化させる。例えば、マスク管１５１は、空気流出部１５０として送入管１３０に設けられた穴を覆うスライドカバーとして構成される。マスク管１５１がスライドすることで、開口する穴の数又は大きさ、或いはそれら両方を変化させて、空気の流出量を変化させる。
【００２２】
図２は、マスク管１５１の位置の第一例を示す図である。図２の例では、空気流出部１５０には複数の丸い穴が設けられている。マスク管１５１は、これらの穴のうち一部を覆っており、２つ半分の穴が開口状態になっている。開口状態になっている穴から空気が流出している。
【００２３】
図３は、マスク管１５１の位置の第二例を示す図である。図３の例では、図２の状態からマスク管１５１が図３の右側へ移動しており、１つ半分の穴が開口状態になっている。開口状態になっている穴から空気が流出している。
図３の例における開口部分の合計面積が図２の場合よりも小さい。これにより、図３の例における空気の流出量が図２の場合よりも少ない。
【００２４】
このように、空気流出部１５０が送入管１３０内の空気を送入管１３０の外部かつユーザの口腔の外部へ流出することで、ユーザが発する声の大きさを調整することができる。
空気の流出量が大きいほどユーザの口腔内に入る空気の量がより少なくなり、その結果、声がより小さくなる。逆に、空気の流出量が小さいほどユーザの口腔内に入る空気の量がより多くなり、その結果、声がより大きくなる。ユーザが行いたい発声の音量が決まっている場合、その音量に合わせて穴の数又は大きさ、或いはそれら両方を調整することで、所望の音量となるように空気の流出量を調整することができる。
【００２５】
マスク管１５１が空気流出部１５０からの空気の流出量を変化させることで、空気の流出量の調整が容易になり、声の大きさの調整を容易に行うことができる。
ユーザの発話中にマスク管１５１が空気の流出量を変化させるようにしてもよい。これにより、ユーザは発話中に声の大きさを調整することができる。
【００２６】
さらに、振動付与部としてリード１６０を用いる場合、空気流出部１５０が空気を流出させることで、リード１６０が送入管１３０の壁面にくっついて振動しなくなる可能性を低減させることができる。
発声補助装置１００の試作機で、送入管１３０に空気流出部１５０を設けずに試運用したところ、送入管１３０に空気が流れている状態で空気の流れを停止させた場合、空気の流れを再開させても直ちにはリード１６０の振動が再開せず、声を発することができなくなる（リード１６０の振動による原音が生成されなくなる）という現象が見受けられた。
ここでいう原音は、振動付与部（図１の例ではリード１６０）が生成する音である。
【００２７】
これは、送入管１３０内に空気が溜まってリード１６０が送入管１３０の内面に押し付けられて振動しない状態となり、空気の停止が解消された後も、空気が抜けてリード１６０が振動するようになるまでに時間を要するためと考えられる。
送入管１３０の空気の流れを停止させる場合として、ユーザが意図的に送入管１３０の先端を口腔内で舌等を使って塞ぐ場合や、口を閉じて発音する言葉の一例である、ひらがなの「ん（ｎ）」を発する場合が挙げられる。
【００２８】
特に、ひらがなの「ん（ｎ）」を発声した後に、発声が出来なくなることで会話に支障をきたす。例えば、ユーザがひらがなの「ん（ｎ）」と「た（ｔａ）」とを連続して発音しようとした場合、ひらがなの「ん（ｎ）」の後に、ひらがなの「た（ｔａ）」を発声できなくなる。
これに対し、空気流出部１５０を設けておくことで、送入管１３０の先端が塞がれた場合でもリード１６０が振動しない状態になることを回避できる。
空気流出部１５０の穴の数及び形状は特定のものに限定されない。例えば、送入管１３０の長手方向に細長い１つの穴が設けられていてもよい。
【００２９】
リード１６０は、振動付与部の例に該当し、送入管１３０がユーザの口腔内に送入する空気に振動を与える。リード１６０は、声帯の代わりとして機能する。
発声補助装置１００が、複数のリード１６０を備えるようにしてもよい。
図４は、複数のリード１６０の配置例を示す図である。図４の例では、送入管１３０が５つに分岐し、分岐した送入管１３０毎に音階の異なるリード１６０が設けられている。
図４では、これら５つのリード１６０に符号１６０ａ〜１６０ｅを付して区別している。
【００３０】
また、リード１６０の各々の手前に電磁弁１６１が設けられている。図４では、これら５つの電磁弁に符号１６１ａ〜１６ｅを付して区別している。
電磁弁１６１の開閉によって振動させるリード１６０を切り替えることで、ユーザが発する声の音階を変えることができる。電磁弁１６１は、選択部（切替部）の例に該当する。
このように、発声補助装置１００が、複数のリード１６０と電磁弁１６１とを備えるようにしてもよい。複数のリード１６０は、それぞれ異なる周波数の振動を空気に与える。すなわち、複数のリード１６０は、それぞれ異なる固有振動数を有し、その固有振動数で振動する。その結果、各リード１６０は、その固有振動数に応じた振動を空気に与える。電磁弁１６１は、開閉状態を切り替ることにより、複数のリード１６０のうち、送入管１３０がコンプレッサ１１０及び風船１２０からユーザの口腔内へ送入する空気を経由させる少なくとも一つのリード１６０を選択する。
【００３１】
また、複数の電磁弁１６１が同時に開いて複数のリード１６０を振動させることで、和音を生じさせることができる。発声補助装置１００がユーザに供給する音として和音を用いることで、音に重みをもたせることができ、また、より人間の声に近い音質を得ることができる。
このように、発声補助装置１００が、それぞれ異なる周波数の振動を空気に与える複数のリード１６０を備えてもよい。また、送入管１３０が、コンプレッサ１１０及び風船１２０が供給する空気を、複数のリード１６０の各々を経由してユーザの口腔内に送入するようにしてもよい。
【００３２】
電源２１０は、発声補助装置１００の各部に電力を供給する。図１の例は、電源２１０が発声補助装置１００に内蔵されるバッテリである場合を示している。しかしながら、電源２１０の態様は特定のものに限定されない。例えば、電源２１０として商用電源など交流の外部電源を用いるようにしてもよい。別の例として、電源２１０として直流の外部電源を用いるようにしてもよい。
【００３３】
主電源スイッチ２２０は、電源２１０から発声補助装置１００の各部へ電力を供給するか否かを、ユーザ操作に従って切り替える。これにより、主電源スイッチ２２０は、発声補助装置１００の動作状態と停止状態との切り替えを行う。
膨張検出センサ２３０は、風船１２０が所定程度以上に膨張したことを検出する。例えば、膨張検出センサ２３０として、接触を検知するセンサを風船１２０の周囲に設置しておく。コンプレッサ１１０からの空気で風船１２０が膨張して膨張検出センサ２３０に接触すると、膨張検出センサ２３０は風船１２０との接触を検知する。膨張検出センサ２３０は風船１２０との接触を検知した場合に、風船１２０が所定程度以上に膨張したことを検知する。
【００３４】
コンプレッサ制御スイッチ２４０は、膨張検出センサ２３０の検出結果に基づいてコンプレッサ１１０を制御する。具体的には、風船１２０が所定程度以上に膨張したことを膨張検出センサ２３０が検出すると、コンプレッサ１１０を停止させる。一方、風船１２０が所定程度以上に膨張したことを膨張検出センサ２３０が検出していない状態では、コンプレッサ制御スイッチ２４０は、コンプレッサ１１０を動作を継続させる。
【００３５】
筐体３００は、発声補助装置１００の各部のうち一部を収納する。図１の例では、筐体３００は、コンプレッサ１１０と、風船１２０と、送入管１３０の一部と、電磁弁１４０と、電源２１０と、膨張検出センサ２３０と、コンプレッサ制御スイッチ２４０とを収納している。但し、筐体３００が収納する部分はこの例に限られない。別の構成例として、発声補助装置１００が筐体３００を備えていなくてもよい。
【００３６】
次に、図５を参照して発声補助装置１００の動作について説明する。
図５は、ユーザ操作及び発声補助装置１００の動作の例を示す図である。
図５の処理で、ユーザは、主電源スイッチ２２０をＯＮにして発声補助装置１００を起動させる（シーケンスＳ１０１）。また、ユーザは、送入管１３０の先端を口腔内へ挿入する（シーケンスＳ１０２）。
【００３７】
主電源スイッチ２２０がＯＮされたことで電源２１０が各部への電力供給を開始し、コンプレッサ１１０が動作を開始する。
膨張検出センサ２３０が風船１２０の膨張を検出していない場合（シーケンスＳ１１１：非検出）、コンプレッサ１１０は、風船１２０へ空気を供給する（シーケンスＳ１１２）。
【００３８】
シーケンスＳ１１２の後、処理がシーケンスＳ１１１へ戻る。
一方、膨張検出センサ２３０が風船１２０の膨張を検出した場合（シーケンスＳ１１１：検出）、コンプレッサ制御スイッチ２４０がコンプレッサ１１０を一時的に停止させ、コンプレッサ１１０は、風船１２０への空気の供給を一時的に停止する（シーケンスＳ１１３）。
シーケンスＳ１１３の後、処理がシーケンスＳ１１１へ戻る。
【００３９】
コンプレッサ１１０が風船１２０へ空気を供給することで、風船１２０が膨張し、空気を吐き出し可能な状態になる（シーケンスＳ１２１）。
ユーザは、遮断制御スイッチ１４１に対して空気の供給を要求するユーザ操作を行う（シーケンスＳ１３１）。このユーザ操作に従って、遮断制御部１４４が電磁弁１４０を開かせる（シーケンスＳ１４１）。
【００４０】
電磁弁１４０が開いたことで、風船１２０が送入管１３０へ空気を供給する（シーケンスＳ１４２）。送入管１３０を空気が流れることで、リード１６０が鳴動し、原音が発生する（シーケンスＳ１４３）。その結果、送入管１３０の端部から空気と原音とがユーザの口腔内へ送出される（シーケンスＳ１４４）。
この状態でユーザが口腔及び舌を動かすことで、例えば「おはよう（ohayou）」のように声を発することができる（「おはよう（ohayou）」は、日本における挨拶の言葉である）。
【００４１】
以上のように、コンプレッサ１１０及び風船１２０は空気を供給する。送入管１３０は、コンプレッサ１１０及び風船１２０が供給する空気を口腔内に送入する。リード１６０は、送入管１３０が口腔内に送入する空気に振動を与える。空気流出部１５０は、送入管１３０に設けられて送入管１３０の内部から送入管１３０の外部かつ口腔の外部へ空気を流出させる。
【００４２】
このように、空気流出部１５０が送入管１３０内の空気を送入管１３０の外部かつユーザの口腔の外部へ流出することで、ユーザが発する声の大きさを調整することができる。
ユーザが行いたい発声の音量が決まっている場合、その音量に合わせて穴の数又は大きさ、或いはそれら両方を調整することで、所望の音量となるように空気の流出量を調整することができる。
【００４３】
マスク管１５１は、空気流出部１５０からの空気の流出量を変化させる。
マスク管１５１が空気流出部１５０からの空気の流出量を変化させることで、空気の流出量の調整が容易になり、声の大きさの調整を容易に行うことができる。
ユーザの発話中にマスク管１５１が空気の流出量を変化させるようにしてもよい。これにより、ユーザは発話中に声の大きさを調整することができる。
【００４４】
発声補助装置１００は、空気に与える振動の周波数が異なる複数のリード１６０を備える。送入管１３０は、コンプレッサ１１０及び風船１２０が供給する空気を、複数のリード１６０の各々を経由して口腔内に送入する。
このように複数のリード１６０を振動させることで、和音を生じさせることができる。発声補助装置１００がユーザに供給する音として和音を用いることで、音に重みをもたせることができ、また、より人間の声に近い音質を得ることができる。
【００４５】
発声補助装置１００は、それぞれ異なる周波数の振動を空気に与える複数のリード１６０を備える。遮断弁１６１は、複数のリード１６０のうち、送入管１３０がコンプレッサ１１０及び風船１２０から口腔内へ送入する空気を経由させるリード１６０を切り替える。
このように振動させるリード１６０を切り替えることで、ユーザが発する声の音階を変えることができる。
【００４６】
電磁弁１４０は、送入管１３０を流れる空気を遮断する。遮断制御部１４４は、電磁弁１４０によって空気を遮断するか否かを制御する。
ユーザが発話を意図していない場合、電磁弁１４０が電磁弁１４０自らを閉じて送入管１３０を流れる空気を遮断することで、ユーザの口腔内から音が聞こえることを解消できる。
【００４７】
動作検出部１４２は、ユーザの動作を検出する。遮断制御部１４４は、ユーザの動作の検出結果に基づいて、空気を遮断するか否かを制御する。
これにより、ユーザが遮断制御スイッチ１４１を操作しなくても、電磁弁１４０の開閉を制御することができる。
【００４８】
状態検出部１４３は、ユーザの身体の物理的状態を検出する。遮断制御部１４４は、ユーザの身体の物理的状態の検出結果に基づいて、空気を遮断するか否かを制御する。
これにより、ユーザが遮断制御スイッチ１４１を操作しなくても、電磁弁１４０の開閉を制御することができる。
【００４９】
次に、図６を参照して本発明の実施形態の構成について説明する。
図６は、本発明の実施形態に係る発声補助装置の構成の例を示す。図６に示す発声補助装置１０は、空気供給部１１と、送入管１２と、振動付与部１３と、空気流出部１４とを備える。
かかる構成にて、空気供給部１１は空気を供給する。送入管１２は、空気供給部１１が供給する空気を口腔内に送入する。振動付与部１３は、送入管１２が口腔内に送入する空気に振動を与える。空気流出部１４は、送入管１２に設けられて送入管１２の内部から送入管１２の外部かつ口腔の外部へ空気を流出させる。
【００５０】
このように、空気流出部１４が送入管１２内の空気を送入管１２の外部かつユーザの口腔の外部へ流出することで、ユーザが発する声の大きさを調整することができる。ユーザが行いたい発声の音量が決まっている場合、その音量に合わせて穴の数又は大きさ、或いはそれら両方を調整することで、所望の音量となるように空気の流出量を調整することができる。
【００５１】
以上、この発明の実施形態について図面を参照して詳述してきたが、具体的な構成はこの実施形態に限られるものではなく、この発明の要旨を逸脱しない範囲の設計等も含まれる。
【００５２】
この出願は、２０１７年８月９日に出願された日本国特願２０１７−１５４３０３を基礎とする優先権を主張し、その開示の全てをここに取り込む。
【産業上の利用可能性】
【００５３】
本発明は、発声補助装置及び発声補助方法に適用してもよい。
【符号の説明】
【００５４】
１００  発声補助装置
１１０  コンプレッサ
１２０  風船
１３０  送入管
１４０  電磁弁
１４１  遮断制御スイッチ
１４２  動作検出部
１４３  状態検出部
１４４  遮断制御部
１５０  空気流出部
１５１  マスク管
１６０  リード
２１０  電源
２２０  主電源スイッチ
２３０  膨張検出センサ
２４０  コンプレッサ制御スイッチ
３００  筐体
【図１】
2019031150.tif 000003
【図２】
2019031150.tif 000004
【図３】
2019031150.tif 000005
【図４】
2019031150.tif 000006
【図５】
2019031150.tif 000007
【図６】
2019031150.tif 000008
【国際調査報告】
2019031150.tif 000009
2019031150.tif 000010